(57)【要約】【課題】  光ディスク装着直後から撮像と記録を開始する。【解決手段】  ステップＳ１でディスクが装着されたと判定された場合、ステップＳ２で録画開始指示待機状態とされ、録画開始指示の入力により、ビデオデータおよび音声データが取得されてバッファメモリに保持される。ステップＳ３で、装着されたディスクは対応する光ディスクであると判定された場合、ステップＳ５で、光ディスクの記録領域のうち、フォーマット時に情報が記録される所定の位置（例えば、ＤＭＡ１乃至ＤＭＡ４）に照射されたレーザ光の反射光のＲＦ信号が確認され、ステップＳ６で、ＲＦ信号成分が含まれていない、すなわち、所定の位置に情報が記録されていないと判定された場合、ステップＳ７で、物理フォーマットおよび論理フォーマットが施され、ステップＳ９で、バッファメモリからデータが読み出されて、順次、光ディスクに記録される。本発明は、撮像記録装置に適用できる。【選択図】図１０
2005243071.tif 000002
【特許請求の範囲】
【請求項１】
撮像した映像を記録媒体に記録することができる撮像記録装置において、
映像を撮像する撮像手段と、
音声を取得する音声取得手段と、
前記撮像手段により撮像された前記映像に対応する映像データ、および、前記音声取得手段により取得された前記音声に対応する音声データを一時保存する保存手段と、
前記撮像記録装置に装着された前記記録媒体はフォーマット済みであるか否かを判定する判定手段と、
前記判定手段により、前記記録媒体はフォーマット済みではないと判定された場合、前記撮像記録装置のユーザの指令を受けることなく、前記記録媒体にフォーマット処理を施すフォーマット処理手段と、
前記フォーマット処理手段による前記記録媒体のフォーマット処理の終了後、前記保存手段により保存された前記映像データおよび前記音声データを前記記録媒体に記録する記録手段と
を備えることを特徴とする撮像記録装置。
【請求項２】
前記保存手段は、少なくとも、前記判定手段による判定処理、および、前記フォーマット処理手段によるフォーマット処理にかかる時間に、前記撮像手段により撮像される前記映像に対応する映像データ、および、前記音声取得手段により取得される前記音声に対応する音声データの合計を保存可能なデータ容量を有する
ことを特徴とする請求項１に記載の撮像記録装置。
【請求項３】
前記判定手段は、前記記録媒体の情報記録領域のうち、前記フォーマット処理手段により前記記録媒体にフォーマット処理が施された場合に情報が記録される領域に、情報が記録されているか否かに基づいて、前記撮像記録装置に装着された前記記録媒体は、フォーマット済みであるか否かを判定する
ことを特徴とする請求項１に記載の撮像記録装置。
【請求項４】
前記判定手段は、前記情報記録領域のうち、前記記録媒体の欠陥管理システムの情報が記録される領域に、情報が記録されているか否かに基づいて、前記撮像記録装置に装着された前記記録媒体は、フォーマット済みであるか否かを判定する
ことを特徴とする請求項３に記載の撮像記録装置。
【請求項５】
前記記録媒体は、光ディスクである
ことを特徴とする請求項１に記載の撮像記録装置。
【請求項６】
撮像した映像を記録媒体に記録することができる撮像記録装置の撮像記録方法において、
映像を撮像し、音声を取得する撮像ステップと、
前記撮像ステップの処理により撮像された前記映像に対応する映像データ、および、取得された前記音声に対応する音声データをデータ保存部に一時保存する保存ステップと、
装着された前記記録媒体はフォーマット済みであるか否かを判定する判定ステップと、
前記判定ステップの処理により、前記記録媒体はフォーマット済みではないと判定された場合、前記撮像記録装置のユーザの指令を受けることなく、前記記録媒体にフォーマット処理を施すフォーマット処理ステップと、
前記フォーマット処理ステップの処理による前記記録媒体のフォーマット処理の終了後、前記保存ステップの処理により前記データ保存部に保存された前記映像データおよび前記音声データを前記記録媒体へ記録する記録ステップと
を含むことを特徴とする撮像記録方法。
【請求項７】
撮像した映像を記録媒体に記録する処理をコンピュータに実行させるためのプログラムであって、
映像の撮像および音声の取得を制御する撮像制御ステップと、
前記撮像制御ステップの処理により撮像が制御された前記映像に対応する映像データ、および、取得が制御された前記音声に対応する音声データの、データ保存部への一時保存を制御する保存制御ステップと、
装着された前記記録媒体はフォーマット済みであるか否かを判定する判定ステップと、
前記判定ステップの処理により、前記記録媒体はフォーマット済みではないと判定された場合、前記撮像記録装置のユーザの指令を受けることなく、前記記録媒体へのフォーマット処理を制御するフォーマット処理制御ステップと、
前記フォーマット処理制御ステップの処理により制御される前記記録媒体のフォーマット処理の終了後、前記保存制御ステップの処理により前記データ保存部への保存が制御された前記映像データおよび前記音声データの前記記録媒体への記録を制御する記録制御ステップと
を含むことを特徴とするコンピュータが読み取り可能なプログラムが格納されているプログラム格納媒体。
【請求項８】
撮像した映像を記録媒体に記録する処理をコンピュータに実行させるためのプログラムであって、
映像の撮像および音声の取得を制御する撮像制御ステップと、
前記撮像制御ステップの処理により撮像が制御された前記映像に対応する映像データ、および、取得が制御された前記音声に対応する音声データの、データ保存部への一時保存を制御する保存制御ステップと、
装着された前記記録媒体はフォーマット済みであるか否かを判定する判定ステップと、
前記判定ステップの処理により、前記記録媒体はフォーマット済みではないと判定された場合、前記撮像記録装置のユーザの指令を受けることなく、前記記録媒体へのフォーマット処理を制御するフォーマット処理制御ステップと、
前記フォーマット処理制御ステップの処理により制御される前記記録媒体のフォーマット処理の終了後、前記保存制御ステップの処理により前記データ保存部への保存が制御された前記映像データおよび前記音声データの前記記録媒体への記録を制御する記録制御ステップと
を含むことを特徴とする処理をコンピュータに実行させるためのプログラム。
【発明の詳細な説明】
【技術分野】
【０００１】
本発明は、撮像記録装置および撮像記録方法、プログラム格納媒体、並びに、プログラムに関し、特に、記録媒体の装着後、すぐに録画開始の指令が入力されたときに、不具合なく撮像記録処理を開始することができる、撮像記録装置および撮像記録方法、プログラム格納媒体、並びに、プログラムに関する。
【背景技術】
【０００２】
ビデオカメラを用いて、ビデオデータおよび音声データを取得（撮像）する場合、取得されたビデオデータおよび音声データを記録する記録媒体として、ディスク状記録メディアを用いる技術がある（例えば、特許文献１）。
【０００３】
【特許文献１】特開平１０−１４３９７７
【０００４】
新しい状態の磁気ディスク、光ディスク、光磁気ディスクなどのディスク状記録メディアへの情報の記録が開始される場合、情報の記録に先立って、フォーマット処理が実行される。フォーマット処理には、記録メディアにデータを書き込めるように、物理的に状態を設定する処理である物理フォーマットと、物理フォーマットを行ったディスクに対して、ディスク領域の使用状態を管理するテーブルや、階層構造を表すディレクトリ部分を用意する論理フォーマット（イニシャライズとも称される）とがある。イニシャライズされていないディスク状記録メディアには、情報を書き込むことができない。
【０００５】
また、フォーマットの形式は、同一のディスク状記録メディアを用いた場合でも、利用する機器によって異なる。
【０００６】
また、情報が書き込まれているディスク状記録メディアをイニシャライズしてしまった場合、記録されていた情報を読み出すことができなくなってしまう。したがって、ディスク状記録メディアを装着された情報処理装置（例えば、パーソナルコンピュータなど）においては、装着された全てのディスク状記録メディアに対してフォーマット処理を行うのではなく、ユーザの操作入力に基づいて、フォーマット処理の開始を指令するための操作入力を行うことができるような操作ウィンドウを表示させて、フォーマットを行うか否かを確認するためのメッセージをユーザに通知し、ユーザが、操作ウィンドウに対して、フォーマット処理を実行することを指令する操作入力を行ったときに、装着されたディスク状記録メディアのフォーマット処理が実行されるようになされている。
【発明の開示】
【発明が解決しようとする課題】
【０００７】
例えば、ディスク状記録媒体に情報を記録することができるビデオカメラなどの撮像記録装置を、報道やスポーツ放送などの取材に用いる場合、カメラマンが撮像記録装置を手にした瞬間に、撮像を開始したいという要求がある。
【０００８】
しかしながら、撮像記録装置を、報道やスポーツ放送などの取材に用いる場合、用いられるディスク状記録媒体は、多くの場合、フォーマット前の新しい状態である。したがって、撮像現場で、カメラマンが撮像記録装置にフォーマット前のディスク状記録装置を装着した場合、フォーマットを行うか否かを確認するためのメッセージがユーザであるカメラマンに通知され、カメラマンが、操作ウィンドウに対して、フォーマット処理を実行することを指令する操作入力を行ったときに、装着されたディスク状記録メディアのフォーマット処理が実行されるようになされている。このため、カメラマンが撮像記録装置を手にしてから、撮像が開始されるまでに時間がかかってしまう。
【０００９】
これに対して、撮像記録装置に装着された全てのディスク状記録媒体にフォーマット処理を施すようにしてしまっては、誤って、情報が記録されたディスク状記録媒体を撮像記録装置に装着してしまったとき、すでに記録された情報を読み出すことができなくなってしまう。
【００１０】
本発明はこのような状況に鑑みてなされたものであり、すでに情報が記録されている記録媒体に、誤ってフォーマット処理を施してしまうことなく、撮像記録装置にフォーマット前の記録媒体が装着され、すぐに撮像の開始が指令されても、撮像開始の指令とともに撮像された情報を、記録媒体に記録することができるようにするものである。
【課題を解決するための手段】
【００１１】
本発明の撮像記録装置は、映像を撮像する撮像手段と、音声を取得する音声取得手段と、撮像手段により撮像された映像に対応する映像データ、および、音声取得手段により取得された音声に対応する音声データを一時保存する保存手段と、撮像記録装置に装着された記録媒体はフォーマット済みであるか否かを判定する判定手段と、判定手段により、記録媒体はフォーマット済みではないと判定された場合、撮像記録装置のユーザの指令を受けることなく、記録媒体にフォーマット処理を施すフォーマット処理手段と、フォーマット処理手段による記録媒体のフォーマット処理の終了後、保存手段により保存された映像データおよび音声データを記録媒体に記録する記録手段とを備えることを特徴とする。
【００１２】
保存手段は、少なくとも、判定手段による判定処理、および、フォーマット処理手段によるフォーマット処理にかかる時間に、撮像手段により撮像される映像に対応する映像データ、および、音声取得手段により取得される音声に対応する音声データの合計を保存可能なデータ容量を有するものとすることができる。
【００１３】
判定手段には、記録媒体の情報記録領域のうち、フォーマット処理手段により記録媒体にフォーマット処理が施された場合に情報が記録される領域に、情報が記録されているか否かに基づいて、撮像記録装置に装着された記録媒体は、フォーマット済みであるか否かを判定させるようにすることができる。
【００１４】
判定手段には、情報記録領域のうち、記録媒体の欠陥管理システムの情報が記録される領域に、情報が記録されているか否かに基づいて、撮像記録装置に装着された記録媒体は、フォーマット済みであるか否かを判定させるようにすることができる
【００１５】
記録媒体は、光ディスクであるものとすることができる。
【００１６】
本発明の撮像記録方法は、映像を撮像し、音声を取得する撮像ステップと、撮像ステップの処理により撮像された映像に対応する映像データ、および、取得された音声に対応する音声データをデータ保存部に一時保存する保存ステップと、装着された記録媒体はフォーマット済みであるか否かを判定する判定ステップと、判定ステップの処理により、記録媒体はフォーマット済みではないと判定された場合、撮像記録装置のユーザの指令を受けることなく、記録媒体にフォーマット処理を施すフォーマット処理ステップと、フォーマット処理ステップの処理による記録媒体のフォーマット処理の終了後、保存ステップの処理によりデータ保存部に保存された映像データおよび音声データを記録媒体へ記録する記録ステップとを含むことを特徴とする。
【００１７】
本発明のプログラム格納媒体に格納されているプログラムは、映像の撮像および音声の取得を制御する撮像制御ステップと、撮像制御ステップの処理により撮像が制御された映像に対応する映像データ、および、取得が制御された音声に対応する音声データの、データ保存部への一時保存を制御する保存制御ステップと、装着された記録媒体はフォーマット済みであるか否かを判定する判定ステップと、判定ステップの処理により、記録媒体はフォーマット済みではないと判定された場合、撮像記録装置のユーザの指令を受けることなく、記録媒体へのフォーマット処理を制御するフォーマット処理制御ステップと、フォーマット処理制御ステップの処理により制御される記録媒体のフォーマット処理の終了後、保存制御ステップの処理によりデータ保存部への保存が制御された映像データおよび音声データの記録媒体への記録を制御する記録制御ステップとを含むことを特徴とする処理をコンピュータに実行させる。
【００１８】
本発明のプログラムは、映像の撮像および音声の取得を制御する撮像制御ステップと、撮像制御ステップの処理により撮像が制御された映像に対応する映像データ、および、取得が制御された音声に対応する音声データの、データ保存部への一時保存を制御する保存制御ステップと、装着された記録媒体はフォーマット済みであるか否かを判定する判定ステップと、判定ステップの処理により、記録媒体はフォーマット済みではないと判定された場合、撮像記録装置のユーザの指令を受けることなく、記録媒体へのフォーマット処理を制御するフォーマット処理制御ステップと、フォーマット処理制御ステップの処理により制御される記録媒体のフォーマット処理の終了後、保存制御ステップの処理によりデータ保存部への保存が制御された映像データおよび音声データの記録媒体への記録を制御する記録制御ステップとを含むことを特徴とする処理をコンピュータに実行させる。
【００１９】
本発明の撮像記録装置および撮像記録方法、並びに、プログラムにおいては、映像が撮像されて音声が取得され、撮像された映像に対応する映像データ、および、取得された音声に対応する音声データが一時保存をされ、装着された記録媒体はフォーマット済みであるか否かが判定され、記録媒体はフォーマット済みではないと判定された場合、撮像記録装置のユーザの指令を受けることなく、記録媒体にフォーマット処理が施されて、フォーマット処理の終了後、保存された映像データおよび音声データが記録媒体へ記録される。
【発明の効果】
【００２０】
本発明によれば、映像を撮像して記録媒体に記録することができ、特に、すでに情報が記録されている記録媒体に、誤ってフォーマット処理を施してしまうことなく、撮像記録装置にフォーマット前の記録媒体が装着され、すぐに撮像の開始が指令されても、撮像開始の指令とともに撮像された情報を、記録媒体に記録することができる。
【発明を実施するための最良の形態】
【００２１】
以下に本発明の実施の形態を説明するが、本明細書に記載の発明と、発明の実施の形態との対応関係を例示すると、次のようになる。この記載は、本明細書に記載されている発明をサポートする実施の形態が、本明細書に記載されていることを確認するためのものである。したがって、発明の実施の形態中には記載されているが、発明に対応するものとして、ここには記載されていない実施の形態があったとしても、そのことは、その実施の形態が、その発明に対応するものではないことを意味するものではない。逆に、実施の形態が発明に対応するものとしてここに記載されていたとしても、そのことは、その実施の形態が、その発明以外の発明には対応しないものであることを意味するものでもない。
【００２２】
更に、この記載は、本明細書に記載されている発明の全てを意味するものでもない。換言すれば、この記載は、本明細書に記載されている発明であって、この出願では請求されていない発明の存在、すなわち、将来、分割出願されたり、補正により出現、追加される発明の存在を否定するものではない。
【００２３】
請求項１に記載の撮像記録装置（例えば、図１の撮像記録装置１１）は、映像を撮像する撮像手段（例えば、図１のレンズ部１１１およびＣＣＤ１１２）と、音声を取得する音声取得手段（例えば、図２の音声入力部１１５）と、撮像手段により撮像された映像に対応する映像データ、および、音声取得手段により取得された音声に対応する音声データを一時保存する保存手段（例えば、図１のバッファメモリ１１７）と、撮像記録装置に装着された記録媒体はフォーマット済みであるか否かを判定する判定手段（例えば、図１のフォーマット判定部１２５）と、判定手段により、記録媒体はフォーマット済みではないと判定された場合、撮像記録装置のユーザの指令を受けることなく、記録媒体にフォーマット処理を施すフォーマット処理手段（例えば、図１のフォーマット処理部１２６）と、
フォーマット処理手段による記録媒体のフォーマット処理の終了後、保存手段により保存された映像データおよび音声データを記録媒体に記録する記録手段（例えば、図１のピックアップ部１２２）とを備える。
【００２４】
保存手段は、少なくとも、判定手段による判定処理、および、フォーマット処理手段によるフォーマット処理にかかる時間に、撮像手段により撮像される映像に対応する映像データ、および、音声取得手段により取得される音声に対応する音声データの合計を保存可能なデータ容量を有することができる。
【００２５】
判定手段は、記録媒体の情報記録領域（例えば、図２の記録膜レイヤＬ０、記録膜レイヤＬ１）のうち、フォーマット処理手段により記録媒体にフォーマット処理が施された場合に情報が記録される領域（例えば、図５乃至図８のＤＭＡ１乃至ＤＭＡ４）に、情報が記録されているか否かに基づいて、撮像記録装置に装着された記録媒体は、フォーマット済みであるか否かを判定することができる。
【００２６】
判定手段は、情報記録領域のうち、記録媒体の欠陥管理システムの情報が記録される領域（例えば、図５乃至図８のＤＭＡ１乃至ＤＭＡ４）に、情報が記録されているか否かに基づいて、撮像記録装置に装着された記録媒体は、フォーマット済みであるか否かを判定することができる。
【００２７】
記録媒体は、光ディスクであるものとすることができる。
【００２８】
請求項６に記載の撮像記録方法は、撮像した映像を記録媒体に記録することができる撮像記録装置（例えば、図１の撮像記録装置１１）の撮像記録方法であって、映像を撮像し、音声を取得する撮像ステップ（例えば、図１０のステップＳ１の処理）と、撮像ステップの処理により撮像された映像に対応する映像データ、および、取得された音声に対応する音声データをデータ保存部（例えば、図１のバッファメモリ１１７）に一時保存する保存ステップ（例えば、図１０のステップＳ１の処理）と、装着された記録媒体はフォーマット済みであるか否かを判定する判定ステップ（例えば、図１０のステップＳ６の処理）と、判定ステップの処理により、記録媒体はフォーマット済みではないと判定された場合、撮像記録装置のユーザの指令を受けることなく、記録媒体にフォーマット処理を施すフォーマット処理ステップ（例えば、図１０のステップＳ７の処理）と、フォーマット処理ステップの処理による記録媒体のフォーマット処理の終了後、保存ステップの処理によりデータ保存部に保存された映像データおよび音声データを記録媒体へ記録する記録ステップ（例えば、図１０のステップＳ９の処理）とを含むことを特徴とする。
【００２９】
請求項７に記載のプログラム格納媒体に格納されているプログラムは、映像の撮像および音声の取得を制御する撮像制御ステップ（例えば、図１０のステップＳ１の処理）と、撮像制御ステップの処理により撮像が制御された映像に対応する映像データ、および、取得が制御された音声に対応する音声データの、データ保存部（例えば、図１のバッファメモリ１１７）への一時保存を制御する保存制御ステップ（例えば、図１０のステップＳ１の処理）と、装着された記録媒体はフォーマット済みであるか否かを判定する判定ステップ（例えば、図１０のステップＳ６の処理）と、判定ステップの処理により、記録媒体はフォーマット済みではないと判定された場合、撮像記録装置のユーザの指令を受けることなく、記録媒体へのフォーマット処理を制御するフォーマット処理制御ステップ（例えば、図１０のステップＳ７の処理）と、フォーマット処理制御ステップの処理により制御される記録媒体のフォーマット処理の終了後、保存制御ステップの処理によりデータ保存部への保存が制御された映像データおよび音声データの記録媒体への記録を制御する記録制御ステップ（例えば、図１０のステップＳ９の処理）とを含むことを特徴とする処理をコンピュータに実行させる。
【００３０】
また、請求項８に記載のプログラムにおいても、各ステップが対応する実施の形態（但し一例）は、請求項７に記載のプログラム格納媒体に記録されているプログラムと同様である。
【００３１】
以下、図を参照して、本発明の実施の形態について説明する。
【００３２】
図１は、本発明を適用した撮像記録装置１１の構成を示すブロック図である。
【００３３】
図１において、撮像記録装置１１の制御部２１の主制御部１０１は、ROM（Read Only Memory）１０２に記憶されているプログラム、またはRAM（Random Access Memory）１０３にロードされたプログラムにしたがって各種の処理を実行する。RAM１０３にはまた、主制御部１０１が各種の処理を実行する上において必要なデータなども適宜記憶される。また、入力部１０４は、各種のボタンやスイッチ等よりなり、ユーザの操作入力を受け付け、受け付けたユーザの操作入力に対応する信号を主制御部１０１に供給する。主制御部１０１は、入力部１０４から供給されるユーザの操作入力、および、撮像記録装置１１の各部から入力される情報に基づいて、撮像記録装置１１の各部を制御する。出力部１０５は、例えば、液晶ディスプレイ、または、スピーカなどよりなり、ユーザへの通知を表示、または、音声出力する。
【００３４】
撮像部２２のレンズ部１１１は、複数のレンズ等よりなり、入射光の絞りや焦点を調整する。レンズ部１１１に入射された入射光は、ＣＣＤ（Charge Coupled Device）１１２に供給される。ＣＣＤ１１２は、レンズ部１１１を介して供給される入射光を電気信号に変換し、前処理部１１３に供給する。また、音声入力部１１５は、マイク等よりなり、撮像時に被写体や周囲の音声を集音し、電気信号に変換して前処理部１１３に供給する。前処理部１１３は、CDS回路、GCA回路、およびA/D変換回路等よりなり、ＣＣＤ１１２より供給された出力信号に含まれるリセットノイズを除去し、利得を最適化し、ＣＣＤ１１２の出力信号をデジタル信号に変換し、ビデオ（映像）データ（または、静止画の画像データであっても良い）として信号処理部１１４に供給する。また、前処理部１１３は、音声入力部１１５より供給された音声信号をA/D変換し、音声データとして信号処理部１１４に供給する。
【００３５】
信号処理部１１４は、前処理部１１３より供給されたビデオデータに対して露出やホワイトバランスの調整等の画像処理を施したり、音声データに対してノイズ除去等の音声処理を行う。また、信号処理部１１４は、ビデオデータや音声データを所定の方式で圧縮し、記録用の圧縮データとしてバッファメモリ１１７に供給する。駆動制御部１１６は、制御部２１の主制御部１０１の制御に基づいて、レンズ部１１１の駆動を制御して焦点や絞りを調整したり、ＣＣＤ１１２の電気的動作を制御したり、画像（蓄積された電荷）の取り込みタイミング（光電変換処理のタイミング）等を調整したり、音声入力部１１５の電気的動作を制御したり、音声入力のタイミング等を調整する。バッファメモリ１１７は、信号処理部１１４により処理された信号を、所定の時間（例えば、数秒乃至数十秒程度の時間）だけバッファリングし、記録部２３の記録処理部１２１に供給する。
【００３６】
バッファメモリ１１７の記憶容量は、少なくとも、光ディスク１２３が装着されて、図示しないドライブにおいてローディングモータが駆動されて、光ディスク１２３がピックアップ部１２２によるデータの書き込みまたは読み出しができる位置にローディングされてから、物理フォーマットおよび論理フォーマットが終了するまでの時間に撮像されるビデオデータおよび録音される音声データのデータ量以上である。すなわち、バッファメモリ１１７においてバッファリング可能な記憶容量は、例えば、光ディスクのローディング時間、装着された光ディスク１２３がフォーマットされていないものであると判定されて、物理フォーマットおよび論理フォーマットが実行されるまでの処理時間、撮像されるビデオデータおよび録音される音声データの解像度、並びに、ビデオデータや音声データの圧縮方法などにより決められる。
【００３７】
記録部２３の記録処理部１２１は、バッファメモリ１１７より供給されたビデオデータや音声データに対して、記録の際に必要な符号化処理等を施し、それを記録用データとして、ピックアップ部１２２に供給する。ピックアップ部１２２は、図示せぬドライブに装着された光ディスク１２３に対してデータ書き込み用のレーザ光を照射し、供給された記録用データを光ディスク１２３に記録する。また、ピックアップ部１２２は、フォーマット判定部１２５の制御にしたがって、図示せぬドライブに装着された光ディスク１２３に対して、レーザ光を照射し、その反射光を受光して、その受光量に対応するRF（Radio Frequency)信号を、フォーマット判定部１２５に供給する。更に、ピックアップ部１２２は、フォーマット処理部１２６の制御にしたがって、図示せぬドライブに装着された光ディスク１２３に対してフォーマット処理を施す。駆動制御部１２４は、制御部２１の主制御部１０１に制御され、図示せぬドライブのローディングモータやスピンドルモータの回転やピックアップ部１４１の駆動等を制御し、光ディスク１２３へのデータ記録時の動作制御を行う。
【００３８】
フォーマット判定部１２５は、ピックアップ部１２２から供給されるＲＦ信号に基づいて、図示せぬドライブに装着された光ディスク１２３が、フォーマット済みであるか否かを判定し、判定結果を主制御部１０１に出力する。フォーマット処理部１２６は、主制御部１０１の制御に基づいて、図示せぬドライブに装着された光ディスク１２３に対してフォーマット処理が施されるように、ピックアップ部１２２を制御する。また、フォーマット処理部１２６は、ピックアップ部１２２を制御して、ファイルシステムを確認するための所定の制御情報を読み出させ、読み出された制御情報を基に、ファイルシステムが正常であるか否かを判定し、判定結果を主制御部１０１に出力する。
【００３９】
次に、図２を参照して、図１に示す光ディスク１２３の構成について説明する。
【００４０】
２層の記録膜を有する光ディスク１２３は、図２に示す断面図のように、ポリカーボネート等の基板に、データを記録する記録膜レイヤＬ０、スペース層、データを記録する記録膜レイヤＬ１、および、記録膜レイヤＬ１以上の層を保護するためのカバー層が積み重ねられて形成されている。なお、２層の記録層を有する光ディスク１２３に対してレーザ光を照射し、その反射光を受光するピックアップ部１２２は、図面において下方に位置している。以下、記録膜レイヤＬ０および記録膜レイヤＬ１を区別する必要がない場合、単に記録層とも記述する。
【００４１】
２層の記録層を有する光ディスク１２３の記録層にデータを記録するためには、記録層に対し、記録再生の単位（例えば、２０４８（＝２Ｋ）バイト）となるセクタに区分け、各セクタのヘッダにセクタアドレスを記録すること、いわゆる、フォーマット処理を施すことが必要となる。
【００４２】
記録層にセクタアドレスやデータを記録する方法としては、２層の記録層を有する光ディスク１２３の製造過程において型押し等によってピット（小孔）を形成する方法と、完成された２層の記録層を有する光ディスク１２３の記録層にレーザ光を照射することによってマーク（相転移領域）を記録する方法が知られている。
【００４３】
２層の記録層を有する光ディスク１２３の記録膜レイヤＬ０にマークを記録する場合には、図１を用いて説明したように、ピックアップ部１２２からのレーザ光を、記録膜レイヤＬ１を介して記録膜レイヤＬ０に照射することが必要である。
【００４４】
また、光ディスク１２３は、カバー層のレーザ光照射面側に、必要に応じて、保護膜を備えるようにしても良い。
【００４５】
また、ここでは、２層の記録膜を有する光ディスク１２３の構成について説明したが、光ディスク１２３として、１層の記録膜を有するものを用いても良いことは言うまでもない。
【００４６】
次に、図３乃至図８を用いて、光ディスク１２３のフォーマット形式について説明する。
【００４７】
図３は、記録膜レイヤＬ０（layer L0）のインフォメーションゾーン（Information Zone）のレイアウトを示す図であり、図４は、記録膜レイヤＬ１（layer L1）のインフォメーションゾーンのレイアウトを示す図である。
【００４８】
インフォメーションゾーンは、ディスクの半径２１．０ｍｍから、５８．５ｍｍ（１２０ｍｍディスク）または３８．５ｍｍ（８０ｍｍディスク）の間に展開されるインフォメーションエリア（information area）内の領域（zone）である。
【００４９】
２層の記録層を有する光ディスク１２３のインフォメーションゾーンは、記録膜レイヤＬ０のLead-in Zone （Inner Zone 0),Data Zone 0、および、Outer Zone 0 、並びに、記録膜レイヤＬ１のOuter Zone 1, Data Zone 1、および、Lead-out Zone （Inner Zone1）の６つの領域（zone）により構成される。Data Zone 0とData Zone 1とには、ユーザデータが記録される。Lead-in ZoneとLead-out Zoneとには、予め記録されている情報と、書換え可能な制御情報、および、ディスクとドライブのテストエリアが含まれている。Outer Zone 0とOuter Zone 1には、それぞれの記録層にスムーズにrun-inまたはrun-outするための情報と、制御情報が記載されている。
【００５０】
まず、図３の記録膜レイヤＬ０（layer L0）のインフォメーションゾーンのレイアウトについて説明する。
【００５１】
図３においては、インフォメーションゾーンに含まれる３つの領域（zone）と、それぞれのゾーンの記述ごとの開始位置の半径、それぞれの領域におけるグルーブトラック内の最初および最後のアドレスを示す1st PAA（Physical ADIP Address）およびLast PAA、並びに、情報の記録が可能な物理クラスタの数が記載されている。また、図中、｛｝内に記載されている値は、光ディスク１２３のデータ容量により変化する値であり、図３においては、記録容量が４６．６Gbytes（光ディスク１２３が１層のみの記録膜を有する場合は、２３．３Gbytes）であるときの数値が記載されている。
【００５２】
インフォメーションゾーンの最も内側には、Inner Zone0（Lead- in Zone）が配置され、Inner Zone0の最も内側には、protection zone1およびＰＩＣが配置され、これらは、HFM（High Frequency Modulation）グルーブにより予め記録されている。そして、Inner Zone0のprotection zone1およびＰＩＣ以外の部分、Data Zone 0、および、Outer Zone0（１層のみの記録膜を有する場合は、Lead-out Zoneと称する）には、位相変化効果を利用して、ウォブルグルーブへの情報の書換えが可能なようになされている。
【００５３】
Inner Zone0（Lead- in Zone）の詳細については、図５を用いて後述する。また、Outer Zone0（または、光ディスク１２３が１層のみの記録膜を有する場合のLead-out Zone）の詳細については、図７を用いて後述する。
【００５４】
次に、図４の記録膜レイヤＬ１（layer L1）のインフォメーションゾーンのレイアウトについて説明する。
【００５５】
図４においては、インフォメーションゾーンに含まれる３つの領域（zone）と、それぞれのゾーンの記述ごとの終了位置の半径、それぞれの領域におけるグルーブトラック内の最後および最初のアドレスを示すLast PAAおよび1st PAA、並びに、情報の記録が可能な物理クラスタの数が記載されている。また、図中、｛｝内に記載されている値は、光ディスク１２３のデータ容量により変化する値であり、図４においては、記録容量が４６．６Gbytesであるときの数値が記載されている。
【００５６】
インフォメーションゾーンの最も内側には、Inner Zone1（Lead- out Zone）が配置され、Inner Zone1の最も内側には、protection zone1およびＰＩＣが配置され、これらは、HFMグルーブにより予め記録されている。そして、Inner Zone1のprotection zone1およびＰＩＣ以外の部分、Data Zone 1、および、Outer Zone1には、位相変化効果を利用して、ウォブルグルーブへの情報の書き換えが可能なようになされている。
【００５７】
Inner Zone1（Lead- out Zone）のレイアウトの詳細については、図６を用いて後述する。また、Outer Zone1の詳細については、図８を用いて後述する。
【００５８】
次に、図５を参照して、図３のInner Zone0（Lead- in Zone）について説明する。
【００５９】
ＰＩＣ（Permanent Information & Control data）領域は、５４４クラスタのＰＩＣ Info Fragment５つで構成された、合計２７２０クラスタの領域で、例えば、ディスク情報などのさまざまな目的のためのデータが予め記録されているものである。
【００６０】
Protection zone 2は、予めデータが記録されている領域と、データの書き換えが可能な領域との間の２２４クラスタのバッファ領域である。INFO2のReservedは、将来の拡張のために、現状ではデータが記録されない１６０クラスタの領域である。INFO2のDMA（Defect Management） 2は、欠陥管理システムに利用される３２クラスタの領域である。INFO2のControl Data 2は、コントロール情報を記録するための３２クラスタの領域である。INFO2のBuffer3は、情報が記録されない３２クラスタの領域である。
【００６１】
OPCのTest zoneは、OPCプロシージャのテストのために設けられている２０４８クラスタの領域である。この領域のうちのいずれか少なくとも一部が利用された後には、データ消去のためのレーザ光が照射されるか、または、任意のユーザデータが上書きされることにより、利用されたトラックの情報が消去される。続くReserved領域は、将来の拡張のために、現状では情報が記録されない２０４８クラスタの領域である。
【００６２】
INFO1のBuffer2は、情報が記録されない３２クラスタの領域である。INFO1のDrive Areaは、記録膜レイヤＬ０にのみ設けられており、ドライブに関する情報が記載される３２クラスタの領域である。
【００６３】
INFO1のReserved領域は、将来の拡張のために、現状では情報が記録されない９６クラスタの領域である。INFO1のDMA 1は、欠陥管理システムに利用される３２クラスタの領域である。INFO1のControl Data 1は、コントロール情報を記録するための３２クラスタの領域である。INFO1のBuffer1は、情報が記録されない３２クラスタの領域である。
【００６４】
次に、図６を参照して、図４のInner Zone1（Lead - out Zone）について説明する。
【００６５】
INFO1のBuffer1は、情報が記録されない３２クラスタの領域である。INFO1のControl Data 1は、コントロール情報を記録するための３２クラスタの領域である。INFO1のDMA 1は、欠陥管理システムに利用される３２クラスタの領域である。INFO1のReserved領域は、将来の拡張のために、現状では情報が記録されない１２８クラスタの領域である。INFO1のBuffer2は、情報が記録されない３２クラスタの領域である。
【００６６】
OPCのTest zoneは、OPCプロシージャのテストのために設けられている２０４８クラスタの領域である。この領域のうちのいずれか少なくとも一部が利用された後には、データ消去のためのレーザ光が照射されるか、または、任意のユーザデータが上書きされることにより、利用されたトラックの情報が消去される。続くReserved領域は、将来の拡張のために、現状では情報が記録されない２０４８クラスタの領域である。
【００６７】
INFO2のBuffer3は、情報が記録されない３２クラスタの領域である。INFO2のControl Data 2は、コントロール情報を記録するための３２クラスタの領域である。INFO2のDMA 2は、欠陥管理システムに利用される３２クラスタの領域である。INFO2のReservedは、将来の拡張のために、現状ではデータが記録されない１６０クラスタの領域である。Protection zone 2は、予めデータが記録されている領域と、データの書き換えが可能な領域との間の２２４クラスタのバッファ領域である。
【００６８】
ＰＩＣ（Permanent Information & Control data）領域は、５４４クラスタのＰＩＣ Info Fragment５つで構成された、合計２７２０クラスタの領域で、例えば、ディスク情報などのさまざまな目的のためのデータが予め記録されているものである。
【００６９】
次に、図７を参照して、図３のOuter Zone0（記録層を１層のみ有する光ディスク１２３においてはLead-out Zone）について説明する。
【００７０】
Buffer 4は、情報が記録されない３２クラスタの領域である。DMA 3は、欠陥管理システムに利用される３２クラスタの領域である。Control Data 3は、コントロール情報を記録するための３２クラスタの領域である。Buffer5は、情報が記録されない７６クラスタの領域である。DMA 4は、欠陥管理システムに利用される３２クラスタの領域である。Control Data 4は、コントロール情報を記録するための３２クラスタの領域である。Buffer6は、情報が記録されない３２クラスタの領域である。Protection zone 3は、情報が記録されないグルーブを含む領域であり、この領域全てのADIP（ADdress In Pre-groove:ウォブルに埋め込まれた、位相変調されたアドレス情報）ユニットは、全て、MSK-cos（Minimum Shift Keying - cosine variant）変調されており、HMW（Harmonic Modulated Wave)変調は用いられていない。DMA 3は、欠陥管理システムに利用される３２クラスタの領域である。
【００７１】
次に、図８を参照して、図４のOuter Zone1について説明する。
【００７２】
Protection zone 3は、情報が記録されないグルーブを含む領域であり、この領域全てのADIPユニットは、全て、MSK-cos変調されており、HMW変調は用いられていない。Buffer6は、情報が記録されない３２クラスタの領域である。Control Data 4は、コントロール情報を記録するための３２クラスタの領域である。DMA 4は、欠陥管理システムに利用される３２クラスタの領域である。Buffer5は、情報が記録されない７６クラスタの領域である。Control Data 3は、コントロール情報を記録するための３２クラスタの領域である。DMA 3は、欠陥管理システムに利用される３２クラスタの領域である。Buffer 4は、情報が記録されない３２クラスタの領域である。
【００７３】
次に、図９は、図５乃至図８のＤＭＡ１乃至ＤＭＡ４のデータ構造の一例について説明するための図である。
【００７４】
記録膜レイヤＬ１と記録膜レイヤＬ０とにおいて、ＤＭＡ１は、合計で６４クラスタの領域であり、ＤＭＡ２は、合計で６４クラスタの領域であり、ＤＭＡ３は、合計で６４クラスタの領域であり、ＤＭＡ４は、合計で６４クラスタの領域である。
【００７５】
ＤＭＡ１乃至ＤＭＡ４には、それぞれ、ＤＭＳ（Defect Management Structure）が記録されている。ＤＭＳは、図９に示されるように、光ディスク１２３の欠陥構造情報を示すＤＤＳ（Disc Definition Structure）と、欠陥リストであるＤＦＬ（Defect List）で構成されている。ＤＭＡ１乃至ＤＭＡ４の最初の４クラスタには、ＤＤＳが記録される。ＤＤＳに記載される情報のうち、ＤＦＬの最初のPSN（Physical Sector Number）を示す情報（First PSN of Defect List）以外の情報は、ＤＭＡ１乃至ＤＭＡ４のいずれにおいても、同様の情報が記載されている。ＤＭＡ１乃至ＤＭＡ４の次の４クラスタは、リザーブ領域となっており、次の８クラスタには、最初にＤＦＬが記録される。しかしながら、情報の記録処理が進むこと（例えば、データの書換え回数が増えるなど）にともなって、８クラスタのＤＦＬのみでは、次第に信頼性がなくなってしまうため、正当なＤＦＬが、次の８クラスタに記録され、その記録位置が、ＤＤＳにおいて指示される。
【００７６】
なお、光ディスク１２３の記録層が１層のみであった場合においては、例えば、ＤＭＡ１乃至ＤＭＡ４は、それぞれ、３２クラスタの領域であり、ＤＭＡ１乃至ＤＭＡ４の最初の４クラスタがＤＤＳで、続いて、４クラスタごとに７つのＤＦＬの領域が設けられる。したがって、光ディスク１２３の記録層が１層のみであった場合においては、ＤＭＡ１乃至DMA４の５乃至８番目のクラスタには、最初にＤＦＬが記載される。そして、最初に記録された４クラスタのＤＦＬのみでは、次第に信頼性がなくなってしまうため、正当なＤＦＬが、次の４クラスタに記録され、その記録位置が、ＤＤＳにおいて指示される。
【００７７】
フォーマット判定部１２５は、ピックアップ部１２２を制御して、光ディスク１２３の記録領域のうち、フォーマット時に情報が記録される所定の領域にレーザ光を照射させ、反射光の受光量に対応する信号を受信する。所定の領域に情報が記載されていないとき、フォーマット判定部１２５は、ＲＦ信号を受信することができない。これにより、フォーマット判定部１２５は、所定の領域に情報が記載されているか否かを検出することができるので、検出結果を基に、装着された光ディスク１２３がフォーマット済みであるか否かを判定する。
【００７８】
図１を用いて説明したフォーマット判定部１２５は、光ディスク１２３のＤＭＡ１乃至ＤＭＡ４に情報が記録されているか否か、換言すれば、ピックアップ部１２２が、光ディスク１２３のＤＭＡ１乃至ＤＭＡ４に対応する記録領域にレーザ光を照射させたときにＲＦ信号が供給されるか否かに基づいて、光ディスク１２３がフォーマット済みであるか否かを判定する。
【００７９】
また、光ディスク１２３の記録層が１層のみであった場合においても、図１を用いて説明したフォーマット判定部１２５は、同様にして、ＤＭＡ１乃至ＤＭＡ４に対応する領域に情報が記録されているか否か、換言すれば、ピックアップ部１２２が、光ディスク１２３のＤＭＡ１乃至ＤＭＡ４に対応する領域にレーザ光を照射させたときにＲＦ信号が供給されるか否かに基づいて、光ディスク１２３がフォーマット済みであるか否かを判定することができる。
【００８０】
次に、図１０のフローチャートを参照して、撮像記録装置１１が光ディスク１２３を装着されて、撮像開始の指令を受けた場合に実行する処理について説明する。
【００８１】
ステップＳ１において、主制御部１０１は、図示しないドライブに備えられているセンサから供給される信号を基に、ドライブにディスクが装着されたか否かを判定する。ステップＳ１において、ディスクが装着されていないと判定された場合、ディスクが装着されたと判定されるまで、ステップＳ１の処理が繰り返される。
【００８２】
ステップＳ１において、ディスクが装着されたと判定された場合、ステップＳ２において、主制御部１０１は、録画開始指示待機状態とし、入力部１０４から録画開始指示が入力された場合、撮像部２２の各部を制御して、撮像部２２の各部に映像の撮像および音声の取得を開始させ、撮像されたビデオデータおよび取得された音声データを、バッファメモリ１１７に一時保持させておく。
【００８３】
なお、ステップＳ２において録画開始指示待機状態となるため、撮像開始指示が、ステップＳ２のタイミングとは異なり、後述するステップＳ３乃至ステップＳ７の処理中のいずれかにおいてに入力された場合、撮像開始指示とともに、主制御部１０１に制御された撮像部２２により撮像処理が開始され、撮像されたビデオデータおよび取得された音声データのバッファメモリ１１７への蓄積が開始される。
【００８４】
ここで、バッファメモリ１１７の記憶容量は、少なくとも、ステップＳ１において、光ディスク１２３が装着されたと判定されて、図示しないドライブにおいてローディングモータが駆動されて、光ディスク１２３がピックアップ部１２２によるデータの書き込みまたは読み出しができる位置にローディングされてから、後述するステップＳ７の処理により、物理フォーマットおよび論理フォーマットが終了するまでの時間に撮像されるビデオデータおよび録音される音声データのデータ量以上である。すなわち、バッファメモリ１１７においてバッファリング可能な記憶容量は、例えば、光ディスクのローディング時間、後述するステップＳ３乃至ステップＳ７の処理時間、撮像されるビデオデータおよび録音される音声データの解像度、並びに、撮像されるビデオデータおよび録音される音声データの圧縮方法などにより決められる。
【００８５】
ステップＳ３において、主制御部１０１は、装着されたディスクは、対応する光ディスク１２３であるか否かを判定する。
【００８６】
ステップＳ３において、装着されたディスクは、対応する光ディスク１２３ではないと判定された場合、ステップＳ４において、主制御部１０１は、駆動制御部１２４を制御し、図示しないドライブのローディングモータをイジェクト方向に回転させ、装着されたディスクをイジェクトして、録画開始指示待機状態を解除し、処理が終了される。
【００８７】
ステップＳ３において、装着されたディスクは、対応する光ディスク１２３であると判定された場合、ステップＳ５において、主制御部１０１は、駆動制御部１２４を制御し、ピックアップ部１２２により光ディスク１２３の記録領域のうち、フォーマット時に情報が記録される所定の位置（例えば、上述したＤＭＡ１乃至ＤＭＡ４）に情報読み取り用のレーザ光を照射させる。ピックアップ部１２２は、光ディスク１２３の記録領域のうち、フォーマット時に情報が記録される所定の位置に情報読み取り用のレーザ光を照射して、その反射光を受光し、反射光の光量に対応する信号をフォーマット判定部１２５に供給する。フォーマット判定部１２５は、光ディスク１２３の記録領域のうち、フォーマット時に情報が記録される所定の位置の反射光のＲＦ信号を確認する。
【００８８】
ステップＳ６において、フォーマット判定部１２５は、光ディスク１２３の記録領域のうち、フォーマット時に情報が記録される所定の位置の反射光にＲＦ信号成分が含まれているか否か、すなわち、光ディスク１２３の記録領域のうち、フォーマット時に情報が記録される所定の位置に、情報が記録されているか否かを判定する。
【００８９】
ステップＳ６において、所定の位置の反射光にRF信号成分が含まれていないと判定された場合、ステップＳ７において、フォーマット判定部１２５は、所定の位置の反射光にRF信号成分が含まれていなかったことを主制御部１０１に通知する。主制御部１０１は、フォーマット処理部１２６に、光ディスク１２３への物理フォーマットおよび論理フォーマットの開始を指令する。フォーマット処理部１２６は、ピックアップ部１２２を制御して、光ディスク１２３に、物理フォーマットおよび論理フォーマットを施し、処理は、後述するステップＳ９に進む。
【００９０】
ステップＳ６において、所定の位置の反射光にRF信号成分が含まれていると判定された場合、ステップＳ８において、フォーマット判定部１２５は、所定の位置の反射光にRF信号成分が含まれていたことを主制御部１０１に通知する。主制御部１０１は、フォーマット処理部１２６に、ファイルシステムの確認を指令する。フォーマット処理部１２６は、ピックアップ部１２２を制御して、ファイルシステムを確認するための所定の制御情報を読み出させ、光ディスク１２３のファイルシステムが正常であるか否かを判定し、判定結果を主制御部１０１に供給する。
【００９１】
ステップＳ７の処理の終了後、または、ステップＳ８において、光ディスク１２３のファイルシステムが正常であると判定された場合、ステップＳ９において、主制御部１０１は、撮像部２２および記録部２３の各部を制御し、バッファメモリ１１７からデータを読み出し、順次、光ディスク１２３に記録する処理を実行させて、処理が終了される。
【００９２】
ステップＳ８において、光ディスク１２３のファイルシステムが正常ではないと判定された場合、ステップＳ１０において、主制御部１０１は、出力部１０５を制御し、テキストデータ、または音声出力などによって、装着された光ディスク１２３のファイルシステムが正常でないことを示すエラーメッセージを、ユーザに通知して、録画開始指示待機状態を解除し、処理が終了される。
【００９３】
このような処理により、撮像記録装置１１にすでに情報が記録されている光ディスク１２３が装着されても、誤ってフォーマット処理を施してしまうことを防ぎつつ、撮像記録装置１１にフォーマット前の光ディスク１２３が装着され、すぐに撮像の開始が指令されても、撮像開始の指令とともに撮像された情報を、光ディスク１２３に記録することができるので、撮像記録装置１１のユーザは、撮像記録装置１１を手にした瞬間に、タイミングを逃すことなく、撮像を開始して、情報を記録することができる。
【００９４】
上述した一連の処理は、ハードウエアにより実現させることもできるが、ソフトウエアにより実現させることもできる。一連の処理をソフトウエアにより実現する場合には、そのソフトウエアを構成するプログラムがコンピュータにインストールされ、そのプログラムがコンピュータで実行されることより、上述したディスク記録再生装置１１が機能的に実現される。
【００９５】
図１１は、コンピュータ１６１の一実施の形態の構成を示すブロック図である。CPU（Central Processing Unit）１７１にはバス１７５を介して入出力インタフェース１７６が接続されており、CPU１７１は、入出力インタフェース１７６を介して、ユーザから、キーボード、マウスなどよりなる入力部１７８から指令が入力されると、例えば、ROM１７２、ハードディスク１７４、またはドライブ１８０に装着される磁気ディスク１９１、光ディスク１９２、光磁気ディスク１９３、若しくは半導体メモリ１９４などの記録媒体に格納されているプログラムを、RAM１７３にロードして実行する。これにより、上述した各種の処理を実行することができる。更に、CPU１７１は、その処理結果を、例えば、入出力インタフェース１７６を介して、LCD（Liquid Crystal Display）などよりなる出力部１７７に必要に応じて出力する。なお、プログラムは、ハードディスク１７４やROM１７２に予め記憶しておき、コンピュータ１６１と一体的にユーザに提供したり、磁気ディスク１９１、光ディスク１９２、光磁気ディスク１９３，半導体メモリ１９４等のパッケージメディアとして提供したり、衛星、ネットワーク等から通信部１７９を介してハードディスク１７４に提供することができる。
【００９６】
なお、本明細書において、プログラムを記述するステップは、上述したフローチャートに記載された順序に沿って時系列的に行われる処理はもちろん、必ずしも時系列的に処理されなくとも、並列的あるいは個別に実行される処理をも含むものである。
【図面の簡単な説明】
【００９７】
【図１】本発明を適用した撮像記録装置の構成を示すブロック図である。
【図２】光ディスク１２３の構成について説明するための図である。
【図３】記録層レイヤＬ０のインフォメーションゾーンのレイアウトを示す図である。
【図４】記録層レイヤＬ１のインフォメーションゾーンのレイアウトを示す図である。
【図５】図３のInner Zone0（Lead- in Zone）について説明するための図である。
【図６】図４のInner Zone1（Lead - out Zone）について説明するための図である。
【図７】図３のOuter Zone0について説明するための図である。
【図８】図４のOuter Zone1について説明するための図である。
【図９】図５乃至図８のＤＭＡのデータ構造の例について説明するための図である。
【図１０】図１の撮像記録装置が実行する処理について説明するためのフローチャートである。
【図１１】パーソナルコンピュータの構成を示すブロック図である。
【符号の説明】
【００９８】
１１  撮像記録装置，  ２１  制御部，  ２２  撮像部，  ２３  記録部，  １０１  主制御部，  １０４  入力部，  １０５  出力部，  １１１  レンズ部，  １１２  ＣＣＤ，  １１５  音声入力部，  １１７  バッファメモリ，  １２２  ピックアップ部，  １２３  光ディスク，  １２４  駆動制御部，  １２５  フォーマット判定部，  １２６  フォーマット処理部
【図１】
2005243071.tif 000003
【図２】
2005243071.tif 000004
【図３】
2005243071.tif 000005
【図４】
2005243071.tif 000006
【図５】
2005243071.tif 000007
【図６】
2005243071.tif 000008
【図７】
2005243071.tif 000009
【図８】
2005243071.tif 000010
【図９】
2005243071.tif 000011
【図１０】
2005243071.tif 000012
【図１１】
2005243071.tif 000013